(57)【要約】【課題】従来の不都合を解消するエレベータカウンターウエイトを提供する。【解決手段】エレベータカウンターウエイト（１）は、同一の平面に配列される数本の垂直ビーム（３ａ、３ｂ）と少なくとも３本の水平クロスバー（４ａ、４ｂ、４ｃ）とから構造されるカウンターウエイトフレーム（２）を具備し、垂直ビーム（３ａ、３ｂ）は水平クロスバー（４ａ、４ｂ、４ｃ）を貫通し、それとともに数個のグリッド領域を形成し、その中に、ウエイト要素（６）が配列され固定され、最下部の水平クロスバー（４ｂ）より上に配列された２つの最も外側のグリッド領域が側方に向かって開口し、各々がそれぞれのカウンターウエイトガイドシューまたは下部カウンターウエイトガイドシュー（７ｂ）およびは安全ブレーキ装置（１６）を受け取ることができる。【選択図】      図２
2004277175.tif 000002
【特許請求の範囲】
【請求項１】
エレベータカウンターウエイト（１）であって、カウンターウエイトフレーム（２）とその中に固定されたウエイト要素（６）とを具備し、前記カウンターウエイトフレーム（２）がエレベータケージの運動の方向と反対の方向にカウンターウエイトガイドレールに沿って動くように可撓性のあるサポート手段（３２）によって前記エレベータケージに接続され、前記カウンターウエイトフレーム（２）は上部および下部のガイドシュー（７ａ、７ｂ）を具備し、且つ、安全ブレーキ装置（１６）を装備することができるエレベータカウンターウエイト（１）であって、前記カウンターウエイトフレーム（２）は、矩形のグリッド状のフレームであり、前記フレームの幅の間に分布するように配列された少なくとも４本の垂直ビーム（３ａ、３ｂ）と少なくとも３本の水平クロスバー（４ａ、４ｂ、４ｃ）とを有し、前記垂直ビームおよび前記水平クロスバーは、カウンターウエイト要素（６）を中に保持することができるグリッド領域を形成することを特徴とする、エレベータカウンターウエイト。
【請求項２】
それぞれの水平クロスバー（４ａ、４ｂ）は頂部および底部でフレームを終端し、最下部から２番目の水平クロスバー（４ｃ）がその間に配列され、最も外側の各垂直ビーム（３ｂ）は前記最上部の水平クロスバー（４ａ）から前記最下部から２番目の水平クロスバー（４ｂ）までだけ延在し、そのため、前記カウンターウエイトフレーム（２）の左側側方および右側側方の各々に、前記側方に向けて開口し且つ中に下部カウンターウエイトガイドシュー（７ｂ）または下部カウンターウエイトシュー（７ｂ）および安全ブレーキ装置（１６）を配列することができるグリッド領域のそれぞれが、前記最下部の水平クロスバーと前記最下部から２番目の水平クロスバーとの間に存在することを特徴とする、請求項１に記載のエレベータカウンターウエイト。
【請求項３】
すべてのビークルビームおよび水平クロスバーは同一平面に配列されることを特徴とする、請求項１または２に記載のエレベータカウンターウエイト。
【請求項４】
どの場合にも、前記垂直ビーム（３ａ、３ｂ）が前記水平クロスバー（４ａ、４ｂ、４ｃ）を貫通するか、または、前記水平クロスバーが前記垂直ビームを貫通し、前記垂直ビーム（３ａ、３ｂ）は貫通場所で前記水平クロスバー（４ａ、４ｂ、４ｃ）に接続されることを特徴とする、請求項１から３のいずれか一項に記載のエレベータカウンターウエイト。
【請求項５】
前記垂直ビーム（３ａ、３ｂ）は、前記最下部から２番目の水平クロスバー（４ｃ）用に垂直方向に異なって位置決めされた少なくとも２つの締結場所を具備することを特徴とする、請求項１から４のいずれか一項に記載のエレベータカウンターウエイト。
【請求項６】
前記垂直ビーム（３ａ、３ｂ）は、Ｕ字型断面を備えた異形部材によって形成されることを特徴とする、請求項１から５のいずれか一項に記載のエレベータカウンターウエイト。
【請求項７】
前記下部ガイドシュー（７ｂ）は最下部の水平クロスバー（４ｂ）より上で且つ当該クロスバーに締結されることができることを特徴とする、請求項１から６のいずれか一項に記載のエレベータカウンターウエイト。
【請求項８】
前記安全ブレーキ装置（１６）は前記最下部から２番目の水平クロスバー（４ｃ）より下で、そこに存在する水平締結表面に締結されることができることを特徴とする、請求項１から７のいずれか一項に記載のエレベータカウンターウエイト。
【請求項９】
プレート形状のまたはブロック形状のウエイト要素（６）は、ガイドシュー（７ｂ）または安全ブレーキ装置（１６）によって占有されない前記カウンターウエイトフレーム（２）のすべてのグリッド領域に配列され固定されることができ、前記垂直ビーム（３ａ、３ｂ）は、前記ウエイト要素用の水平固定手段として作用するように構成されることを特徴とする、請求項１から８のいずれか一項に記載のエレベータカウンターウエイト。
【請求項１０】
前記垂直ビーム（３ａ、３ｂ）の配列によって規定される前記グリッド領域の幅が、少なくとも２つの異なる値を有することができ、そのため、異なる長さのウエイト要素（６）が異なるグリッド領域に固定されることができることを特徴とする、請求項１から９のいずれか一項に記載のエレベータカウンターウエイト。
【請求項１１】
前記水平クロスバー（４ａ、４ｂ、４ｃ）は２つのクロスバープレート（２０）を具備し、これら２つのクロスバープレートは前記水平クロスバーの幅だけ間隔をおいて離れた平行な垂直平面状に配列され、それらの間に前記垂直ビーム（３ａ、３ｂ）が固定され、前記クロスバープレート（２０）は、およそ半分の高さで数個の水平スロットを有し、その中に、前記２つのクロスバープレートを接続する水平溶接プレート（２１ａ、２１ｂ、２１ｃ）は、垂直通路開口が前記垂直ビーム（３ａ、３ｂ）用に開口したままであるように溶接され、前記クロスバープレート（２０）は、前記垂直ビーム（３ａ、３ｂ）の領域に垂直スロットを有し、その中に、前記２つのクロスバープレートを接続する垂直溶接プレート（２２）は、前記垂直ビーム（３ａ、３ｂ）が当該プレートに側方向に固定されることができるように溶接されることを特徴とする、請求項１から１０のいずれか一項に記載のエレベータカウンターウエイト。
【請求項１２】
前記水平クロスバー（４ａ、４ｂ、４ｃ）に存在する前記垂直溶接プレートは、前記垂直ビーム（３ａ、３ｂ）のように、水平スロットを有し、それを通って水平固定プレート（３０）が、前記水平溶接プレート（２１ａ、２１ｂ、２１ｃ）の上および／または下を延在し、これらは前記垂直ビーム（３ａ、３ｂ）に隣接し前記クロスバープレートを接続し、前記固定プレートは各々がこれらの溶接プレートのそれぞれの１つに重なり合うことを特徴とする、請求項１１に記載のエレベータカウンターウエイト。
【請求項１３】
前記最上部のおよび／または最下部の水平クロスバー（４ａ、４ｂ）は、各々が、中心水平溶接プレート（２１ａ）を有し、これは、サポート手段（３２）またはウエイト補正手段（３３）を締結するために作用することができるように形状づけられることを特徴とする、請求項１１または１２に記載のエレベータカウンターウエイト。
【発明の詳細な説明】
【技術分野】
【０００１】
本発明の主題は、特許請求の範囲に規定されたようなエレベータカウンターウエイトである。
【背景技術】
【０００２】
エレベータカウンターウエイトは、一方では、ケージに締結されていないケーブル端で、エレベータケージを駆動するサポート手段に荷重をかける目的を果たし、そのため、サポート手段がその上にループされるエレベータ駆動装置の駆動プーリーが、必要な摩擦力をサポート手段へ伝達することができる。他方で、当該カウンターウエイトは、必要な駆動電力を減少すべく、エレベータ駆動装置によって駆動されケージ重量および有用な荷重から構成される荷重全体の一部に補正を提供する役割を果たす。
【０００３】
そのようなカウンターウエイトは様々な形態の実施形態で製造される。たとえばそれらは、金属プレートからまたは金属スクラップ若しくは砂で満たされた容器から構成されることができる。しかし、大半の場合、エレベータカウンターウエイトは、金属フレームとその中に挿入され固定される金属プレートとから形成される。
【０００４】
エレベータカウンターウエイトは、通常、ガイドシューを備え、これによって、エレベータシャフトに装着されたガイドレールにガイドされる。ガイドシューは、スライドガイドシューとしてまたはローラーガイドシューとして実行されることができる。
【０００５】
エレベータカウンターウエイトの重量は通常、空のエレベータケージよりも重くなるように設計されるため、たとえば、駆動ブレーキの欠陥または駆動ギアの故障の場合に、エレベータカウンターウエイトが制御されていないやり方でエレベータケージを上方へ加速させてエレベータシャフトの天井に衝突させるおそれがある。。そのような状況を確実に回避するべく、エレベータカウンターウエイトには安全ブレーキ装置が装備されることが多く、このブレーキ装置により、許容される下方速度を上回るときに、エレベータカウンターウエイトが停止させられ、したがって、エレベータケージもまた停止される。
【０００６】
これに加えて、安全規格があり、この規格により、エレベータシャフトの下に利用可能な空間がある場合には、エレベータのカウンターウエイトに安全ブレーキ装置を装備することが義務づけられている。
【０００７】
カウンターウエイトフレーム、挿入されたウエイト要素、スライドガイドシュー、および安全ブレーキ装置を備えたエレベータカウンターウエイトは、欧州特許第０７５７６５９号明細書から公知である。図１および２から明らかであるように、カウンターウエイトは簡略な矩形の金属異形部材（ｐｒｏｆｉｌｅ  ｍｅｍｂｅｒ）フレームを有し、その中に金属プレートが保持され固定される。垂直フレーム異形材部材の下部拡張部において、２つのスライドガイドシューが一方の側に締結され、２つの安全ブレーキ装置が他方の側に締結され、これは、関連カウンターウエイトガイドレールと協働する。
【０００８】
エレベータカウンターウエイトのそのような構造は、一定の不都合を有する。ガイドシューおよび安全ブレーキ装置は、カウンターウエイトフレームの外側側部に装着される。これは、一方では、安全ブレーキ可動中に生じるカウンターウエイトの重量力と慣性力とを安全ブレーキ装置に確実に伝達することができるように、下部クロスバーと垂直フレーム異形部材との間、および、後者と安全ブレーキ装置との間の着脱自在な接続が、非常に剛直に実行されなければならないという結果をもたらし、他方では、フレームとカウンターウエイトガイドレールとの間の比較的大きな中間空間を、ウエイト要素の配置のために使用できないという結果をもたらす。これは、特に、ガイドシューがローラーガイドシューとして作られ、比較的大きなローラー直径のため、かなりの設置空間を必要とする場合である。さらに、ガイドシューと安全ブレーキ装置とを締結するために存在する垂直フレーム異形部材の下部拡張部の間の空間が、ウエイト要素用の設置空間として利用することができないという事実のため、エレベータカウンターウエイトの設置空間のかなりの部分が失われる。
【０００９】
カウンターウエイトに安全ブレーキ装置が設けられないエレベータ設置において、下部拡張部が長すぎて、そのため設置空間が浪費されるか、または、異なる拡張部が必要とされ、これが、様々な構成要素を増やし不正確な送出のリスクを増大するか、のいずれかである。
【００１０】
【特許文献１】欧州特許第０７５７６５９号明細書
【発明の開示】
【発明が解決しようとする課題】
【００１１】
本発明の目的は、上述の種類のエレベータカウンターウエイトであって、上記の不都合を回避できるものを形成することにある。これは、本発明によるエレベータカウンターウエイトにおいては、ウエイト要素の慣性力が最大限安全ブレーキ装置に加わり、着脱自在の接続要素にはわずかにしか加わらないように安全ブレーキ装置が配置されることを意味し、カウンタウエイト要素の最大量を設置することに関してエレベータカウンタウエイトに必要な設置空間を最善の方法で最大限に利用すべく安全ブレーキ装置だけでなくガイドシューもカウンターフレームに取り付けられることを意味し、エレベータカウンターウエイトが最小数の基本構成要素の最小数の変形例で有用な全荷重範囲のために組み立てることができるモジュール方式であることを意味し、且つエレベータカウンターウエイトが安全ブレーキ装置の有無によらず最適なやり方で適用されることができることを意味する。
【課題を解決するための手段】
【００１２】
本発明によれば、この目的は、請求項１に示された措置によって達成される。本発明の有利な改良点および展開は、従属請求項２から１２より明らかである。
【００１３】
数個の個別の異形部材、たとえば、対に配列されるＵ字型異形材ビームから構成される垂直ビームは、本説明および特許請求の範囲では、ユニットとしてみなされる。
【００１４】
本発明の実施形態の特に空間節約的な形態は、側部に向かって開口している２つのグリッド領域の各々に安全ブレーキ装置を配列することができるという事実から生じる。
【００１５】
本発明の好適な実施形態において、カウンターウエイトフレームを実質的に形成する垂直ビームおよび水平クロスバーは、各場合に垂直ビームが水平クロスバーを貫通するかまたは水平クロスバーが垂直ビームを貫通するように設計され、垂直ビームは貫通場所で水平クロスバーに接続される。それによって、垂直ビームおよび水平クロスバーを交差するように互いに押し込み、その後、交差点で接続することによって、ウエイト要素を受け取る異なる数のグリッド領域を備えたエレベータカウンターウエイトを、もっとも簡略化したやり方で装着することができることが達成される。
【００１６】
有利なことに、最下部から２番目の水平クロスバー用に垂直方向に異なって位置決めされた少なくとも２つの締結場所が垂直ビームに存在し、そのため、そのクロスバーの垂直位置は、ガイドシューおよび任意に安全ブレーキ装置のそれぞれに必要である、側部に向かって開口しているグリッド領域の高さに適合されることができる。これは、空間および材料の費用のための最小必要条件で全体重量および安全ブレーキ装置の存在または不在に関する必要条件を満たす標準化されたエレベータカウンターウエイトの選択を可能にする。
【００１７】
本発明の実施形態の特定な有利な形態にしたがって、垂直ビームはＵ字型断面を備えた異形部材から構成され、この断面は、ウェブによって接続された２つのフランジよりなる。エレベータカウンターウエイトの側方向終端を形成する２つの垂直ビームを除いて、垂直ビームはＵ字型異形部材から構成され、これは対に配列され、ウェブは実質的に互いに対接する。垂直ビームは、およそカウンターウエイト要素の任意に異なる長さだけ互いから間隔をおいて水平方向に配列され、そのため、カウンターウエイト要素は垂直ビームの間に挿入されることができ且つ互いの上に層状にされることができ、これらは、各場合に、ウェブおよび２つの相互に間隔をおいて離れたＵ字型異形部材のフランジによってその水平平面にガイドされる。
【００１８】
本発明によるエレベータカウンターウエイトの実施形態の有利な形態にしたがって、下部ローラーまたはスライドガイドシューは、最下部の水平クロスバーより上で且つこのクロスバーに締結されることができる。これは、ガイドシューを装着するために追加サポートを必要とせず、最大幅のカウンターウエイトは所与のカウンターウエイトガイドの間に装着されることができ、ガイドシューの間の空間はウエイト要素の配置のためにエレベータカウンターウエイトの高さ全体にわたって利用することができるという利点を有する。
【００１９】
本発明の特に有利な実施形態は、安全ブレーキ装置が最下部から２番目の水平クロスバーより下で、そこに存在する水平締結表面に締結されることができることにある。利点は特に、安全ブレーキプロセスの場合に、大部分が慣性力およびウエイト要素の重量から生じ最下部から２番目の水平クロスバーに垂直に作用する安全ブレーキ力は、この水平クロスバーから水平安全ブレーキ装置締結表面によって安全ブレーキ装置へおよびこれらからカウンターウエイトガイドレールへ直接にガイドされる。それによって、カウンターウエイトフレーム内に且つカウンターウエイトフレーム（水平クロスバー）と安全ブレーキ装置との間に着脱自在になされた接続は、安全ブレーキ力によって軽く荷重をかけられるだけであるということが達成される。この構造の更なる利点は、安全ブレーキ装置を装着するために追加サポートが必要ではなく、最大幅のカウンターウエイトを所与の間隔を空けてカウンターウエイトガイドの間に装着することができ、安全ブレーキ装置の間の空間は、ウエイト要素の配列のためにエレベータカウンターウエイトの高さ全体にわたって利用することができるということにある。
【００２０】
本発明によるエレベータカウンターウエイトの更に有利な展開にしたがって、プレート形状のまたはブロック形状のウエイト要素は、ガイドシューまたは安全ブレーキ装置によって占有されないカウンターウエイトフレームのすべてのグリッド領域に配列され固定されることができ、垂直ビームは、ウエイト要素用の水平固定手段として作用するように構成される。グリッド形状のカウンターウエイトフレームは、比較的短い長さのウエイト要素を使用することを可能にする。これは、一方では、カウンターウエイト寸法に所与の制約を課することに関して柔軟性が増加するという利点を有し、他方では、ウエイト要素は少ない努力で操作される。
【００２１】
カウンターウエイトの寸法に所与の制約を課することに関する特に高度の柔軟性は、異なる長さのウエイト要素を受け取ることができるために、垂直ビームの配列によって規定されたグリッド領域が少なくとも２つの異なる幅を有することができるという事実によって達成される。
【００２２】
本発明によるエレベータカウンターウエイトの好適な実施形態にしたがって、水平クロスバーは２つのクロスバープレートを有し、それらはクロスバーの幅だけ間隔をおいて離れた平行な垂直平面に配列され、それらの間に垂直ビームが固定され、クロスバープレートは、およそ半分の高さで数個の水平スロットを有し、その中に、２つのクロスバープレートを接続する水平プレートは、垂直通路開口が垂直ビーム用に開口したままであるように適所に溶接され、クロスバープレートは、垂直ビームの領域に垂直スロットを有し、その中に、２つのクロスバープレートを接続する垂直プレートは、垂直ビームがそれに側方向に固定されることができるように適所に溶接される。
【００２３】
水平クロスバーのこの構造の利点は、本質的に、垂直ビームによって貫通されることができるが、それにもかかわらず十分に剛直な曲げガーダーを形成できることにある。クロスバープレートの間の溶接接続として機能する水平および垂直プレートは、クロスバープレートに形成されたスロットにプラグ接続され、クロスバープレートの外側表面を幾分越えて突出する。それによって、装着後にも水平クロスバーと垂直ビームとの間に接続点を形成する水平および垂直プレートの位置は、溶接前に正確にエラーなしで位置決めされ、すべての水平および垂直プレートは、水平クロスバーの上部側からクロスバープレートに溶接されることができる。
【００２４】
エレベータカウンターウエイトの更に有利な実施形態は、垂直ビームだけでなく水平クロスバーにも存在する垂直プレートは水平スロットを有し、このスロットを通してそれぞれの水平固定プレートが、クロスバープレートを接続する水平プレートの上および／または下に延在し、これらに重なり合い、固定プレートは、含まれるそれぞれの２つの水平プレートに接続される。この構造により、安全接続が形成され、垂直ビームと水平クロスバーとの間の解放可能な接続が破損または脱着した場合でも、水平クロスバーと垂直ビームとの間の分離が発生しないことを確実にする。
【００２５】
有利なことに、各最上部のおよび／または最下部の水平クロスバーは、中心水平プレートを有し、これは、サポートケーブルまたはカウンターバランスケーブルを締結するために作用することができるように設計される。そのようなプレートはいずれの場合にも水平クロスバーのクロスバープレートの接続のために必要であるため、サポートケーブルおよび／またはバランスケーブルの締結プレートの通常必要な適用は節約される。
【００２６】
本発明の実施形態は、添付の図面を参照して説明される。
【発明を実施するための最良の形態】
【００２７】
図１は、カウンターウエイトフレーム２を有するエレベータカウンターウエイト１の第１の実施形態を示す。図示の通り、当該カウンタウエイト１は、４本の垂直ビーム３ａ、３ｂ、最上部の水平クロスバー４ａ、最下部の水平クロスバー４ｂ、および、最下部から２番目の水平クロスバー４ｃを具備する。中間の垂直ビーム３ａは、ここではそれそれが、対に配列された２つのＵ字型異形部材を具備し、一方、最も外側の垂直ビーム３ｂのそれぞれは、単一のＵ字型異形部材から構成される。垂直ビーム３ａ、３ｂおよび水平クロスバー４ａ、４ｂ、４ｃは共同でグリッド形状のカウンターウエイトフレーム２を形成し、当該フレーム２は数個のグリッド領域５を備える。このグリッド領域５は、ウエイト要素６を受け入れる役割を果たす。水平クロスバー４ａ、４ｂ、４ｃは、垂直ビーム３ａ、３ｂが所定の交差点でこれらに貫通することができるように設計され、水平クロスバーおよび垂直ビームは、各場合に交差点で一緒に接続される。
【００２８】
垂直ビーム３ａ、３ｂは対にまたは単独で配列されるＵ字型異形部材から構成され、これらは、各々が２つのフランジ及びウェブによって係合し、グリッド領域５に挿入されたウエイト要素６の端のまわりで接続する。Ｕ字型異形部材で実現された垂直ビーム３ａ、３ｂは、このようにして、グリッド領域５に挿入されたウエイト要素６の水平方向の位置決めおよび固定を確実にする。カウンターウエイトフレーム２は、ローラーガイドシュー７によってカウンターウエイトガイドレール８にガイドされる。ローラーガイドシュー７ａ、７ｂをカウンターウエイトフレーム２に締結するために、最上部のおよび最下部の水平クロスバー４ａ、４ｂには、そのクロスバー端の上部縁の領域にガイドシューサポート９が装備され、そのため、ローラーガイドシュー７ａ、７ｂは常時最上部のまたは最下部の水平クロスバーより上に配列されることができる。エレベータカウンターウエイト１の設置空間の可能な限り大きな部分をウエイト要素６のために利用できるように下部ローラーガイドシュー７ｂを設置できるため、下部ローラーガイドシュー７ｂのそれぞれがグリッド領域の最も外側で且つ最も低い部分にそれぞれ１つ装着される。これらのグリッド領域の最も外側で最も低い部分は、その場合、それぞれのカウンターウエイトガイドに向けて開口するよう維持されているが、それは、最も外側の垂直ビーム３ｂが最上部の水平クロスバー４ａから最下部から２番目の水平クロスバー４ｃまでだけ延在しているからである。下部ローラーガイドシュー７ｂを備えた上記最も外側の、最下部のグリッド領域の間の空間は、このようにしてウエイト要素６の設置のために利用することができる。垂直ビーム３ａ、３ｂは、最下部から２番目の水平クロスバー４ｃ用に、少なくとも２つの締結場所を有し、これらは、垂直方向に異なって位置決めされる。これによって、最下部から２番目の水平クロスバー４ｃを最下部の水平クロスバー４ｂに対して異なる間隔を空けて装着することができ、そのため、側方に向けて開口する２つのグリッド領域は、異なる空間要件を備えたガイドシューを配置するために、または（図２に示されるように）安全ブレーキ装置をさらに受け取るために、異なる高さを有することができる。
【００２９】
ねじによって垂直ビームの間に締結されることができ且つグリッド領域５に挿入されるウエイト要素６のスタックを垂直方向に固定する目的を果たす圧縮ビームは、参照符号１０で表される。この目的のために圧縮ガーダー１０には圧力ねじ１１が装備される。
【００３０】
最下部の水平クロスバー４ｂの下に、バッファサポート１２を認めることができ、これによってエレベータカウンターウエイト１は、稼働位置の最下端を越えて移動しようとする場合に、カウンターウエイトバッファに支持される。バッファサポート１２は数個の部分要素から構成され、これらは、個別の部分要素の除去によって、サポート要素の長さ全体を、エレベータ稼働の間に結果として生じるサポート手段の伸びに適合されるのを可能にする。
【００３１】
図２は、本発明によるエレベータカウンターウエイト１の第２の実施形態を示し、そのカウンターウエイトフレーム２は、図１に関連して述べられたカウンターウエイトフレームと同一の構造的特徴を有する。この第２の実施形態は、同様に、それぞれの最上部の、最下部のおよび最下部から２番目の水平クロスバー（４ａ、４ｂ、４ｃ）、および、上部および下部のローラーガイドシュー７ａ、７ｂを具備するが、６本の垂直ビーム３ａ、３ｂを有し、これらは、水平クロスバーとともに１０のグリッド領域５を形成し、８つのグリッド領域がウエイト要素６を受け入れ、２つのグリッド領域は各々が、それぞれの下部ローラーガイドシュー７ｂおよびそれぞれの安全ブレーキ装置１６を受け入れるように作用する。ローラーガイドシュー７ｂおよび安全ブレーキ装置１６を受け取るように作用するグリッド領域５ｂは、側方に向かって開口し、これは、２つの最も外側の垂直ビーム３ｂが最上部の水平クロスバー４ａから最下部から２番目の水平クロスバー４ｃまでだけ延在することから達成される。下部ガイドシュー７ｂおよび安全ブレーキ装置１６のために利用可能な十分な設置空間を垂直方向に確保するために、最下部から２番目の水平クロスバー４ｃは、第１の実施形態の場合よりも高い位置に装着される。最下部から２番目の水平クロスバー４ｃの垂直位置を、異なるガイドシューおよび安全ブレーキ装置の異なる空間的な条件に最適に適用可能にするために、垂直ビームは、最下部から２番目の水平クロスバー用に、少なくとも２つのまた好ましくは数個の締結点を有する。
【００３２】
グリッド領域は、異なる長さのカウンターウエイトを使用することができるように、少なくとも２つの異なる幅を有することが好ましい。本発明によるエレベータカウンターウエイトの使用における改良された柔軟性はこのようにして達成され、すなわち、カウンターウエイトフレームの特定の寸法に関して所与の制限がある場合に、利用可能な空間を良好に利用することができる。
【００３３】
ローラーガイドシュー７ｂは、スライドガイドシューも使用することができることは明らかであるが、第１の実施形態の場合と同様に、最上部のおよび最下部の水平クロスバー４ａ、４ｂより上に装着され、上記水平クロスバー４ａ、４ｂの端領域の所定の位置に溶接されたガイドシューサポート９に締結される。
【００３４】
安全ブレーキ装置１６は、最下部から２番目の水平クロスバー４ｃの端領域より下に配置され、最下部から２番目の水平クロスバーに溶接された安全ブレーキサポート１７に締結される。これは、安全ブレーキプロセスの場合には、大部分が慣性力およびウエイト要素６の重量から生じ且つ最下部から２番目の水平クロスバー４ｃに作用するブレーキ力が、この水平クロスバーから安全ブレーキ装置サポート１７の水平締結フランジによって安全ブレーキ装置１６へ、さらにカウンターウエイトガイドレール８へ、直接導かれるという安全ブレーキ装置１６のこの配列によって達成される。カウンターウエイトフレーム２内に、および、カウンターウエイトフレーム（最下部から２番目の水平クロスバー４ｃ）と安全ブレーキ装置１６との間に着脱自在に作られた接続は、安全ブレーキ装置のこの配列の場合には安全ブレーキ力によって軽く荷重をかけられるだけである。
【００３５】
公知のエレベータカウンターウエイトにおいて、安全ブレーキ装置は、カウンターウエイトフレームに側方向に、または、カウンターウエイトフレームより下で側方向に、装着される。これによって、カウンターウエイトフレームの使用可能な幅が減少し、カウンターウエイトフレームより下に装着する場合には、安全ブレーキ装置の間の空間を利用することができない。
【００３６】
提案された解決法の場合には、カウンターウエイトを設置するために利用可能な空間は、必要なウエイト要素の設置のために最適なやり方で利用することができる。
【００３７】
図３は、最上部の水平クロスバー４ａによって本発明にしたがった水平クロスバーと、この水平クロスバーと垂直ビーム３ａとの間のクロスおよび接続点（交差点）と、の構造的な実施形態を示す。図４は、水平クロスバーを通る断面ＩＶ−ＩＶを示し、図５は水平クロスバーを通る長手方向断面を示し、両方の断面とも垂直ビームとのクロスおよび接続点の領域に配列される。
【００３８】
水平クロスバー４ａ、４ｂ、４ｃは、２つのクロスバープレート２０を具備し、これらは、水平クロスバーの幅だけ間隔をおいて離れた平行な垂直平面状に配列され、数個の水平溶接プレート２１ａ、２１ｂ、２１ｃおよび数個の垂直溶接プレート２２によって一緒に固く接続される。この場合、水平溶接プレート２１ａ、２１ｂ、２１ｃは、クロスバープレート２０の高さのほぼ半分に配置され、各場合に、対に配列された垂直ビーム３ａが中間空間の領域に挿入されることができるように、水平方向に互いから離れて間隔をおかれる。これらの水平溶接プレートが異なる垂直位置に装着されることもでき、１つのそれぞれの水平溶接プレートの代わりに数個の水平溶接プレートが互いの上に配列されることができることは明らかである。
【００３９】
水平溶接プレート２１ａ、２１ｂ、２１ｃおよび垂直溶接プレート２２は、クロスバープレート２０に形成された水平および垂直のスロットにそれぞれプラグ接続され、その幅は挿入されるべきそれぞれの溶接プレートの厚さに対応する。クロスバープレートのスロット内にプラグ接続されるべき側部において、水平溶接プレートおよび垂直溶接プレートは、突出するストラップ２３を有し、その長さは上記側部の長さよりも短く、これらの短いストラップは、溶接プレートの上記側部の端で矩形カットアウト２４が溶接プレートに作られるように形成される。クロスバープレートのスロットはその長さが突出するストラップ２３の長さに対応し、そのため、水平溶接プレートおよび垂直溶接プレートをクロスバープレートの関連スロット内に挿入するときに、溶接プレートの貫通の深さはカットアウト２４の深さによって規定される。その場合、貫通の深さは、水平溶接プレート２１ａ、２１ｂ、２１ｃおよび垂直溶接プレート２２の突出するストラップ２３が、クロスバープレートの外側表面を越えて数ミリメートルだけ突出するように、選択される。それによって、クロスバープレート２０を越えて突出するストラップ２３の輪郭に沿って、これらのストラップおよび関連溶接プレートは、クロスバープレート２０と溶接されることができ、すべての溶接シーム２５は、クロスバープレート２０の外側側部上にあるようになる。水平クロスバーの説明された製造方法は特に合理的であるが、それは、一方では、個別構成要素の位置が一緒にプラグ接続された後に完璧に固定され、他方では、溶接のための且つそれをチェックするための問題なしにすべての溶接シーム位置にアクセス可能であるからである。
【００４０】
図３、４および５には、対となるように配列される垂直ビーム３ａが例示されており、垂直ビーム３ａ、３ｂ、３ｃがどのように水平クロスバーに組み合わされ、接続されているかをも認識することができる。それぞれのＵ字型異形材ビームが、水平溶接プレート２１ａと２１ｂとの間に存在する中間空間内で、１本の垂直ビームに連結される垂直溶接プレート２２の両側に挿入され、そのウェブによって垂直溶接プレート２２に締結され、そのため、２本のＵ字型異形材ビームがともに対となるように配列される垂直ビーム３ａを形成する。この締結は、好ましくは、ねじ接続２６によって実行され、垂直ビーム３ａのＵ字型異形材ビームは、更なるねじ接続２７によってクロスバープレート２０に更に固定されることができる。
【００４１】
カウンターウエイトフレームの側方向終端を形成する個別の垂直ビーム３ｂ（ここでは図示せず）と水平クロスバーとの接続は、水平クロスバーの端の領域に適所に溶接された垂直溶接プレート２２に垂直ビーム３ｂを締結することによって類似したやり方で行われる。
【００４２】
たとえば端位置限界におけるエレベータカウンターウエイトの衝撃による、垂直ビーム３ａ、３ｂと水平クロスバー４ａ、４ｂ、４ｃとの間の接続の破綻を最高度の安全性で防止するために、接続点の各々に追加の安全措置を講じることができる。この目的のために、垂直ビーム３ａ、３ｂは、それらを形成するＵ字型異形材ビームのウェブにおいて、水平スロットを有する。このスロットは、その水平中心軸が水平溶接プレート２１ａ、２１ｂ、２１ｃの中心平面と同一の高さにあるように、垂直方向に位置決めされる。スロットの幅は、２つの固定プレート３０と水平溶接プレートとの厚さの合計に相当する。カウンターウエイトフレームの側方向終端を形成しない対の垂直ビーム３ａと水平クロスバーとの間の接続の安全性は、それぞれの固定プレート３０が２つの隣接する水平溶接プレート（たとえば２１ｂ、２１ｃ）の上部および下部の表面に対接し、上記相互に間隔をおいて離れた水平溶接プレートの間に配列される垂直ビーム３ａの上述されたスロットを通って延在するようなやり方で、達成される。固定プレート３０は、今度は、たとえばねじ２９によって、要素を固定することによってその位置に固定されることができる。
【００４３】
カウンターウエイトフレームの側方向終端を形成する個別の垂直ビーム３ｂと水平クロスバー４ａ、４ｂ、４ｃとの間の接続の安全性は、固定プレート３０の補助で類似のやり方で確保され、固定プレート３０は、水平クロスバーのそれぞれの最も外側の水平溶接プレート２１ｃのみに締結され、最も外側の垂直溶接プレート２１ｃのスロットおよび最も外側の垂直ビーム３ｂのウェブを通って延在する。
【００４４】
図３において、既に述べた水平溶接プレートおよび垂直溶接プレートと同一のやり方で水平クロスバーに接続され上部ガイドシュー７ａを締結するように作用する追加溶接プレート９は、最上部の水平クロスバー４ａの端の上部領域に存在する。理想的に配置された溶接プレートは、下部ガイドシュー７ｂを締結するために最下部の水平クロスバー４ｂに存在し、安全ブレーキ装置１６を締結するための溶接プレートは、最下部から２番目の水平クロスバー４ｃの端の下部領域に適所に溶接される。
【００４５】
最上部の水平クロスバー４ａおよび最下部の水平クロスバー４ｂ（図１、２、３）の中心ゾーンの所定の位置に溶接された水平溶接プレート２１ａは、サポート手段３２またはウエイト補正手段３３（たとえば、補正ケーブル）の接続要素として作用し、この目的のために適切な内腔または接続要素を有する。
【００４６】
本発明にしたがったエレベータカウンターウエイトは、モジュール概念にしたがって作られ、これは、最適化された寸法および仕切りを備えたカウンターウエイトを作ることができるために、カウンターウエイトフレーム２の顕著な構成要素用に、最小数の長さおよび仕切り変形例を提供する。その場合、エレベータ設置の特定の状態へ実施形態の変形例を適用させることができるために、モジュール方式を促進する特定の締結穴グループは、多数の形態で存在することができる。その例は、圧縮ガーダー１０と最下部から２番目の水平クロスバーとを異なる垂直方向位置で垂直ビーム３ａ、３ｂに締結するための複数の穴グループであり、また、構造の異なる形態の安全ブレーキ装置１６とガイドシュー７ａ、７ｂとを締結するための、ガイドシューサポート９や安全ブレーキサポート１７の複数の穴グループである。
【図面の簡単な説明】
【００４７】
【図１】本発明にしたがって、４本の対のまたは単一の垂直ビームを備え、ローラーガイドシューを備えるが、安全ブレーキ装置を備えないエレベータカウンターウエイトの図である。
【図２】本発明にしたがって、６本の対のまたは単一の垂直ビームを備え、ローラーガイドシューを備え、且つ、安全ブレーキ装置を備えたエレベータカウンターウエイトの図である。
【図３】６本の対のまたは単一の垂直ビームを備えたエレベータカウンターウエイト用の本発明にしたがった水平クロスバーの図であり、垂直ビームとの交差点を備える。
【図４】垂直ビームとの交差点の領域で図３にしたがった水平クロスバーを通る断面図である。
【図５】垂直ビームとの交差点の領域で水平クロスバーを通る長手方向断面図である。
【符号の説明】
【００４８】
１  エレベータカウンターウエイト
２  カウンターウエイトフレーム
３ａ、３ｂ、３ｃ  垂直ビーム
４ａ、４ｂ、４ｃ  水平クロスバー
５、５ｂ  グリッド領域
６  ウエイト要素
７、７ａ、７ｂ  ローラーガイドシュー
８  カウンターウエイトガイドレール
９  ガイドシューサポート
１０  圧縮ビーム
１１  圧力ねじ
１２  バッファサポート
１６  安全ブレーキ装置
１７  安全ブレーキサポート
２０  クロスバープレート
２１ａ、２１ｂ、２１ｃ  水平溶接プレート
２２  垂直溶接プレート
２３  ストラップ
２４  カットアウト
２５  溶接シーム
２６、２７  ねじ接続
２９  ねじ
３０  固定プレート
３２  サポート手段
３３  ウエイト補正手段
【図１】
2004277175.tif 000003
【図２】
2004277175.tif 000004
【図３】
2004277175.tif 000005
【図４】
2004277175.tif 000006
【図５】
2004277175.tif 000007
【外国語明細書】
2004277175.tif 000008
2004277175.tif 000009
2004277175.tif 000010
2004277175.tif 000011
2004277175.tif 000012
2004277175.tif 000013
2004277175.tif 000014
2004277175.tif 000015
2004277175.tif 000016
2004277175.tif 000017
2004277175.tif 000018
2004277175.tif 000019
2004277175.tif 000020
2004277175.tif 000021
2004277175.tif 000022
2004277175.tif 000023
2004277175.tif 000024
2004277175.tif 000025
2004277175.tif 000026
2004277175.tif 000027
2004277175.tif 000028
2004277175.tif 000029